(57)【要約】  オーバーヘッドが小さく継続時間が拡張されたサイクリックプレフィックスが開示され、ここで、公称の25リソースブロック(RB)当たりに300キャリアの規定を越えるキャリアの整数倍のシーケンスが、サイクリックプレフィックスオーバーヘッドを規範的な20%よりも下方へ低減させるように選択される。継続時間の集合が、次いで、シンボル継続時間および継続時間が拡張されたサイクリックプレフィックスの結合された継続時間を、各RBに対するキャリアとして整数とする、キャリアのそのような各整数倍のシーケンスと関連して形成される。
2016533139.tif 000002
【特許請求の範囲】
【請求項１】
ブロードキャストで送信されるべき直交分割多元接続(OFDMA)シンボルのためのサイクリックプレフィックスオーバーヘッドを選択するステップであって、前記サイクリックプレフィックスオーバーヘッドは、標準的なキャリア対リソースブロック(RB)の規定の整数倍に基づいて決定されるステップと、
前記OFDMAシンボルのためのサイクリックプレフィックス継続時間を選択するステップであって、前記サイクリックプレフィックス継続時間は、前記標準的なキャリア対RBの規定の前記整数倍に基づいて、RB当たり整数個のキャリアをもたらすように決定されるステップと、
前記サイクリックプレフィックス継続時間およびサイクリックプレフィックスオーバーヘッドを使用して前記OFDMAシンボルを送信するステップと
を備えるワイヤレス通信の方法。
【請求項２】
前記標準的なキャリア対RBの規定の前記整数倍は、分母が180の分数サイクリックプレフィックスに基づいて決定される、請求項1に記載の方法。
【請求項３】
RB当たりのキャリアの前記整数は、式:
RB当たりのキャリアの数=180,000(Hz)×総継続時間(秒)(1-分数サイクリックプレフィックス)に従って決定され、180,000(Hz)はRBの帯域幅を表し、前記総継続時間(秒単位)はOFDMAシンボル時間と前記サイクリックプレフィックス継続時間との合計を表す、
請求項2に記載の方法。
【請求項４】
前記分数サイクリックプレフィックスは、式:
分数サイクリックプレフィックス=N/180に従って決定され、Nは整数値を表す、
請求項2に記載の方法。
【請求項５】
前記総継続時間を選択する前記ステップは、
シンボル継続時間と、複数のサイクリックプレフィックス継続時間のうちの1つとを含む所望の継続時間を選択するステップを備え、前記選択された所望の継続時間は、RB当たり前記整数個のキャリアをもたらす、
請求項2に記載の方法。
【請求項６】
前記総継続時間は1、2、3、4、5、6、7、8、9、および10ミリ秒を含む、請求項2に記載の方法。
【請求項７】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項1に記載の方法。
【請求項８】
前記サイクリックプレフィックス継続時間を選択する前記ステップは、
シンボル継続時間と、複数のサイクリックプレフィックス継続時間のうちの1つとを含む所望の継続時間を選択するステップを備え、前記選択された所望の継続時間は、RB当たり前記整数個のキャリアをもたらす、
請求項1に記載の方法。
【請求項９】
前記複数のサイクリックプレフィックス継続時間の各々は、前記選択されたサイクリックプレフィックスオーバーヘッドを維持する、請求項8に記載の方法。
【請求項１０】
前記複数のサイクリックプレフィックス継続時間は、RB当たり前記整数個のキャリアをもたらす2.5、5、および10ミリ秒の継続時間を含む、請求項9に記載の方法。
【請求項１１】
より大きい数のキャリア対RBのための前記標準的なキャリア対RBの定義の前記整数倍は、より小さいサイクリックプレフィックスオーバーヘッドをもたらす、請求項1に記載の方法。
【請求項１２】
前記整数倍は、370キャリアから300キャリアまでの間のキャリアのシーケンスを備え、前記シーケンスは、各組合せを用いて5キャリアごとに変化し、前記キャリアのシーケンスは、一群の利用可能なサイクリックプレフィックスオーバーヘッドをN×1.33%ステップで生成する、請求項1に記載の方法。
【請求項１３】
ブロードキャストで送信されるべき直交分割多元接続(OFDMA)シンボルのためのサイクリックプレフィックスオーバーヘッドを選択するための手段であって、前記サイクリックプレフィックスオーバーヘッドは、標準的なキャリア対リソースブロック(RB)の規定の整数倍に基づいて決定される手段と、
前記OFDMAシンボルのためのサイクリックプレフィックス継続時間を選択するための手段であって、前記サイクリックプレフィックス継続時間は、前記標準的なキャリア対RBの規定の前記整数倍に基づいて、RB当たり整数個のキャリアをもたらすように決定される手段と、
前記サイクリックプレフィックス継続時間およびサイクリックプレフィックスオーバーヘッドを使用して前記OFDMAシンボルを送信するための手段と
を備えるワイヤレス通信のために構成された装置。
【請求項１４】
前記標準的なキャリア対RBの規定の前記整数倍は、分母が180の分数サイクリックプレフィックスに基づいて決定される、請求項13に記載の装置。
【請求項１５】
総継続時間を選択するための前記手段は、
シンボル継続時間と、複数のサイクリックプレフィックス継続時間のうちの1つとを含む所望の継続時間を選択するための手段を備え、前記選択された所望の継続時間は、RB当たり前記整数個のキャリアをもたらす、
請求項14に記載の装置。
【請求項１６】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項13に記載の装置。
【請求項１７】
前記サイクリックプレフィックス継続時間を選択するための前記手段は、
シンボル継続時間と、複数のサイクリックプレフィックス継続時間のうちの1つとを含む所望の継続時間を選択するための手段を備え、前記選択された所望の継続時間は、RB当たり前記整数個のキャリアをもたらす、
請求項13に記載の装置。
【請求項１８】
そこに記録されたプログラムコードを有する非一時的コンピュータ可読媒体であって、前記プログラムコードが、
コンピュータに、ブロードキャストで送信されるべき直交分割多元接続(OFDMA)シンボルのためのサイクリックプレフィックスオーバーヘッドを選択させるためのプログラムコードであって、前記サイクリックプレフィックスオーバーヘッドは、標準的なキャリア対リソースブロック(RB)の規定の整数倍に基づいて決定されるプログラムコードと、
前記コンピュータに、前記OFDMAシンボルのためのサイクリックプレフィックス継続時間を選択させるためのプログラムコードであって、前記サイクリックプレフィックス継続時間は、前記標準的なキャリア対RBの規定の前記整数倍に基づいて、RB当たり整数個のキャリアをもたらすように決定されるプログラムコードと、
前記コンピュータに、前記サイクリックプレフィックス継続時間およびサイクリックプレフィックスオーバーヘッドを使用して前記OFDMAシンボルを送信させるためのプログラムコードと
を備える、非一時的コンピュータ可読媒体。
【請求項１９】
前記標準的なキャリア対RBの規定の前記整数倍は、分母が180の分数サイクリックプレフィックスに基づいて決定される、請求項18に記載の非一時的コンピュータ可読媒体。
【請求項２０】
前記コンピュータに総継続時間を選択させるための前記プログラムコードは、
前記コンピュータに、シンボル継続時間と、複数のサイクリックプレフィックス継続時間のうちの1つとを含む所望の継続時間を選択させるためのプログラムコードを備え、前記選択された所望の継続時間は、RB当たり前記整数個のキャリアをもたらす、
請求項19に記載の非一時的コンピュータ可読媒体。
【請求項２１】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項18に記載の非一時的コンピュータ可読媒体。
【請求項２２】
前記コンピュータに前記サイクリックプレフィックス継続時間を選択させるための前記プログラムコードは、
前記コンピュータに、シンボル継続時間と、複数のサイクリックプレフィックス継続時間のうちの1つとを含む所望の継続時間を選択させるためのプログラムコードを備え、前記選択された所望の継続時間は、RB当たり前記整数個のキャリアをもたらす、
請求項18に記載の非一時的コンピュータ可読媒体。
【請求項２３】
ワイヤレス通信のために構成された装置であって、
少なくとも1つのプロセッサと、
前記少なくとも1つのプロセッサに結合されたメモリとを含み、
前記少なくとも1つのプロセッサは、
ブロードキャストで送信されるべき直交分割多元接続(OFDMA)シンボルのためのサイクリックプレフィックスオーバーヘッドを選択することであって、前記サイクリックプレフィックスオーバーヘッドは、標準的なキャリア対リソースブロック(RB)の規定の整数倍に基づいて決定されることと、
前記OFDMAシンボルのためのサイクリックプレフィックス継続時間を選択することであって、前記サイクリックプレフィックス継続時間は、前記標準的なキャリア対RBの規定の前記整数倍に基づいて、RB当たり整数個のキャリアをもたらすように決定されることと、
前記サイクリックプレフィックス継続時間およびサイクリックプレフィックスオーバーヘッドを使用して前記OFDMAシンボルを送信することと
を行うように構成された装置。
【請求項２４】
前記標準的なキャリア対RBの規定の前記整数倍は、分母が180の分数サイクリックプレフィックスに基づいて決定される、請求項23に記載の装置。
【請求項２５】
RB当たりのキャリアの前記整数は、式:
RB当たりのキャリアの数=180,000(Hz)×総継続時間(秒)(1-分数サイクリックプレフィックス)に従って決定され、180,000(Hz)はRBの帯域幅を表し、前記総継続時間(秒単位)はOFDMAシンボル時間と前記サイクリックプレフィックス継続時間との合計を表す、
請求項24に記載の装置。
【請求項２６】
前記分数サイクリックプレフィックスは、式:
分数サイクリックプレフィックス=N/180に従って決定され、Nは整数値を表す、
請求項24に記載の装置。
【請求項２７】
前記総継続時間を選択するための前記少なくとも1つのプロセッサの構成は、シンボル継続時間と、複数のサイクリックプレフィックス継続時間のうちの1つとを含む所望の継続時間を選択するための構成を備え、前記選択された所望の継続時間は、RB当たり前記整数個のキャリアをもたらす、請求項24に記載の装置。
【請求項２８】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項23に記載の装置。
【請求項２９】
前記サイクリックプレフィックス継続時間を選択するための前記少なくとも1つのプロセッサの構成は、シンボル継続時間と、複数のサイクリックプレフィックス継続時間のうちの1つとを含む所望の継続時間を選択するための構成を備え、前記選択された所望の継続時間は、RB当たり前記整数個のキャリアをもたらす、請求項23に記載の装置。
【請求項３０】
前記整数倍は、370キャリアから300キャリアまでの間のキャリアのシーケンスを備え、前記シーケンスは、各組合せを用いて5キャリアごとに変化し、前記キャリアのシーケンスは、一群の利用可能なサイクリックプレフィックスオーバーヘッドをN×1.33%ステップで生成する、請求項23に記載の装置。
【発明の詳細な説明】
【技術分野】
【０００１】
関連出願の相互参照
本出願は、その全体が参照により本明細書に明確に組み込まれる、2013年9月13日に出願された「EXTENDED DURATION CYCLIC PREFIX WITH LOW OVERHEAD FOR LTE BROADCAST」と題する米国仮特許出願第61/877,864号、2013年9月27日に出願された「EXTENDED DURATION CYCLIC PREFIX WITH LOW OVERHEAD FOR LTE BROADCAST」と題する米国仮特許出願第61/883,820号、および2014年9月9日に出願された「EXTENDED DURATION CYCLIC PREFIX WITH LOW OVERHEAD FOR LTE BROADCAST」と題する米国実用特許出願第14/480,897号の利益を主張するものである。
【０００２】
本開示の態様は、一般に、ワイヤレス通信システムに関し、より詳細には、LTEブロードキャストのためのオーバーヘッドが小さく継続時間が拡張されたサイクリックプレフィックスに関する。
【背景技術】
【０００３】
電話通信、ビデオ、データ、メッセージング、および放送などの様々な電気通信サービスを提供するために、ワイヤレス通信システムが広範囲に配備されている。通常のワイヤレス通信システムは、利用可能なシステムリソース(たとえば、帯域幅、送信電力)を共有することによって、複数のユーザとの通信をサポートすることが可能な多元接続技術を利用することができる。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、様々なワイヤレスデバイスが自治体、国家、地域、さらには地球規模で通信することを可能にする共通プロトコルを提供するために、様々な電気通信規格において採用されている。新興の電気通信規格の一例は、ロングタームエボリューション(LTE)である。LTEは、第3世代パートナーシッププロジェクト(3GPP)によって公表されたユニバーサルモバイルテレコミュニケーションズシステム(UMTS)のモバイル規格に対する拡張セットである。LTEは、スペクトル効率を改善すること、コストを下げること、サービスを向上すること、新しいスペクトルを利用すること、ならびに、ダウンリンク(DL)上のOFDMA、アップリンク(UL)上のSC-FDMA、および多入力多出力(MIMO)アンテナ技術を使用して、他のオープン規格とより良く統合することによって、モバイルブロードバンドインターネットアクセスをより良くサポートするように設計されている。しかしながら、モバイルブロードバンドアクセスに対する需要が増加し続けるにつれて、LTE技術のさらなる改善が必要である。好ましくは、これらの改善は、他の多元接続技術、およびこれらの技術を利用する電気通信規格に適用可能であるべきである。
【発明の概要】
【課題を解決するための手段】
【０００５】
本開示の一態様では、ワイヤレス通信の方法は、ブロードキャストで送信されるべきOFDMAシンボルのためのサイクリックプレフィックスオーバーヘッドを選択するステップであって、サイクリックプレフィックスオーバーヘッドは、標準的なキャリア対リソースブロック(RB)の規定の整数倍に基づいて決定されるステップと、OFDMAシンボルのためのサイクリックプレフィックス継続時間を選択するステップであって、サイクリックプレフィックス継続時間は、標準的なキャリア対RBの規定の整数倍に基づいて、RB当たり整数個のキャリアをもたらすように決定されるステップと、サイクリックプレフィックス継続時間およびサイクリックプレフィックスオーバーヘッドを使用してOFDMAシンボルを送信するステップとを含む。
【０００６】
本開示のさらなる態様では、ワイヤレス通信のために構成される装置は、ブロードキャストで送信されるべきOFDMAシンボルのためのサイクリックプレフィックスオーバーヘッドを選択するための手段であって、サイクリックプレフィックスオーバーヘッドは、標準的なキャリア対RBの規定の整数倍に基づいて決定される手段と、OFDMAシンボルのためのサイクリックプレフィックス継続時間を選択するための手段であって、サイクリックプレフィックス継続時間は、標準的なキャリア対RBの規定の整数倍に基づいて、RB当たり整数個のキャリアをもたらすように決定される手段と、サイクリックプレフィックス継続時間およびサイクリックプレフィックスオーバーヘッドを使用してOFDMAシンボルを送信するための手段とを含む。
【０００７】
本開示のさらなる態様では、コンピュータ可読媒体は、そこに記録されたプログラムコードを有する。このプログラムコードは、ブロードキャストで送信されるべきOFDMAシンボルのためのサイクリックプレフィックスオーバーヘッドを選択するためのコードであって、サイクリックプレフィックスオーバーヘッドは、標準的なキャリア対RBの規定の整数倍に基づいて決定されるコードと、OFDMAシンボルのためのサイクリックプレフィックス継続時間を選択するためのコードであって、サイクリックプレフィックス継続時間は、標準的なキャリア対RBの規定の整数倍に基づいて、RB当たり整数個のキャリアをもたらすように決定されるコードと、サイクリックプレフィックス継続時間およびサイクリックプレフィックスオーバーヘッドを使用してOFDMAシンボルを送信するためのコードとを含む。
【０００８】
本開示のさらなる態様では、装置は、少なくとも1つのプロセッサと、プロセッサに結合されたメモリとを含む。プロセッサは、ブロードキャストで送信されるべきOFDMAシンボルのためのサイクリックプレフィックスオーバーヘッドを選択することであって、サイクリックプレフィックスオーバーヘッドは、標準的なキャリア対RBの規定の整数倍に基づいて決定されることと、OFDMAシンボルのためのサイクリックプレフィックス継続時間を選択することであって、サイクリックプレフィックス継続時間は、標準的なキャリア対RBの規定の整数倍に基づいて、RB当たり整数個のキャリアをもたらすように決定されることと、サイクリックプレフィックス継続時間およびサイクリックプレフィックスオーバーヘッドを使用してOFDMAシンボルを送信することとを行うように構成される。
【０００９】
前述のものは、次の詳細な説明がより良く理解できるように、本出願の特徴および技術的利点をかなり広く概説した。特許請求の範囲の主題を形成する、さらなる特徴および利点が以下で説明される。開示される概念および具体的態様は、本出願の同じ目的を実行するために他の構造を変更するまたは設計するための基礎として容易に利用できることが当業者には理解されるはずである。当業者には、そのような等価の構成が、本出願の趣旨および範囲ならびに添付の特許請求の範囲から逸脱しないことも理解されるはずである。態様の特色をなすと思われる新規の特徴は、その構成と動作方法の両方について、さらなる目的および利点とともに、以下の説明を添付の図との関連で考慮したときにより良く理解されるであろう。しかしながら、図の各々は、例示および説明のみを目的として提供され、特許請求の範囲の限定を定義するものとして意図されないことを明確に理解されたい。
【図面の簡単な説明】
【００１０】
【図１Ａ】ネットワークアーキテクチャの一例を示す図である。
【図１Ｂ】MBSFNサービスを提供またはサポートするための、ワイヤレス通信システムの機能エンティティを示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーン用および制御プレーン用の無線プロトコルアーキテクチャの一例を示す図である。
【図６】アクセスネットワーク中の発展型ノードBおよびユーザ機器の一例を示す図である。
【図７】単一周波数ネットワーク上のマルチメディアブロードキャストにおける発展型マルチキャストブロードキャストマルチメディアサービスを示す図である。
【図８】伝搬遅延スプレッドを示す図である。
【図９Ａ】MBSFNにおける複数のeNBに関する伝搬遅延スプレッドを示すタイミング図である。
【図９Ｂ】MBSFNにおける複数のeNBに関する伝搬遅延スプレッドを示すタイミング図である。
【図１０】時間および周波数にわたる概念的な統計的多重化を示すブロック図である。
【図１１】本開示の一態様を実施するように実行される例示的なブロックを示す機能ブロック図である。
【図１２】本開示の一態様を実施するように実行される例示的なブロックを示す機能ブロック図である。
【発明を実施するための形態】
【００１１】
添付の図面に関して以下に記載される詳細な説明は、様々な構成の説明として意図されており、本明細書で説明される概念が実施され得る唯一の構成を表すことを意図されていない。詳細な説明は、様々な概念の完全な理解を与えるために特定の詳細を含む。しかしながら、これらの概念がこれらの特定の詳細がなくても実施することができることは当業者に明らかであろう。いくつかの例では、そのような概念を曖昧にするのを防ぐために、よく知られた構造および構成要素がブロック図の形態において示されている。
【００１２】
次に、電気通信システムのいくつかの態様が、様々な装置および方法を参照して提示される。これらの装置および方法は、以下の詳細な説明に記載され、様々なブロック、モジュール、コンポーネント、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装され得る。そのような要素をハードウェアとして実装するか、またはソフトウェアとして実装するかは、具体的な適用例およびシステム全体に課された設計制約に依存する。
【００１３】
例として、要素、もしくは要素の任意の部分、または要素の任意の組合せは、1つまたは複数のプロセッサを含む「処理システム」で実装され得る。プロセッサの例としては、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、機能などを意味するように広く解釈されるべきである。
【００１４】
したがって、1つまたは複数の例示的な実施形態では、説明される機能は、ハードウェア、ソフトウェア、ファームウェア、またはそれらの任意の組合せに実装することができる。ソフトウェアに実装される場合、機能は、コンピュータ可読媒体上の1つまたは複数の命令またはコードとして、記憶または符号化することができる。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気記憶デバイス、または、命令もしくはデータ構造の形態の所望のプログラムコードを搬送もしくは記憶するために使用することができ、コンピュータによってアクセスすることができる、任意の他の媒体を含むことができる。本明細書で使用する場合、ディスク(disk)およびディスク(disc)は、コンパクトディスク(CD)、レーザーディスク（登録商標）、光ディスク、デジタル多用途ディスク(DVD)、およびフロッピー（登録商標）ディスクを含み、ディスク(disk)は、通常、磁気的にデータを再生するが、ディスク(disc)は、レーザーで光学的にデータを再生する。上述したものの組合せも、コンピュータ可読媒体の範囲内に含められるべきである。
【００１５】
図1Aは、LTEネットワークアーキテクチャ100を示す図である。LTEネットワークアーキテクチャ100は、発展型パケットシステム(EPS)100と呼ばれることがある。EPS100は、1つまたは複数のUE102、発展型UMTS地上波無線アクセスネットワーク(E-UTRAN)104、発展型パケットコア(EPC)110、ホーム加入者サーバ(HSS)120、および事業者のインターネットプロトコル(IP)サービス122を含み得る。EPSは、他のアクセスネットワークと相互接続することができるが、簡単のために、それらのエンティティ/インターフェースは図示されていない。図示のように、EPSはパケット交換サービスを提供するが、当業者が容易に諒解するように、本開示全体にわたって提示される様々な概念は、回線交換サービスを提供するネットワークに拡張され得る。
【００１６】
E-UTRANは、eNB106および他のeNB108を含む。eNB106は、UE102に対してユーザプレーンプロトコル終端および制御プレーンプロトコル終端を提供する。eNB106は、バックホール(たとえばX2インターフェース)を介して他のeNB108に接続され得る。eNB106は、基地局、ノードB、アクセスポイント、トランシーバ基地局、無線基地局、無線トランシーバ、トランシーバ機能、基本サービスセット(BSS)、拡張サービスセット(ESS)、または他の何らかの適切な用語で呼ばれる場合もある。eNB106は、UE102にEPC110へのアクセスポイントを提供する。UE102の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、タブレット、または同様に機能する任意の他のデバイスが含まれる。UE102はまた、当業者により、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００１７】
eNB106はEPC110に接続される。EPC110は、モビリティ管理エンティティ(MME)112、他のMME114、サービングゲートウェイ116、およびパケットデータネットワーク(PDN)ゲートウェイ118を含む。MME112は、UE102とEPC110との間のシグナリングを処理する制御ノードである。一般に、MME112は、ベアラおよび接続の管理を提供する。すべてのユーザIPパケットは、サービングゲートウェイ116を通じて転送され、サービングゲートウェイ116自体は、PDNゲートウェイ118に接続される。PDNゲートウェイ118は、UEのIPアドレス割振りおよび他の機能を実現する。PDNゲートウェイ118は、事業者のIPサービス122に接続される。事業者のIPサービス122は、インターネット、イントラネット、IPマルチメディアサブシステム(IMS)、およびPSストリーミングサービス(PSS)を含み得る。MBMS無線アクセスネットワークにおいて、ブロードキャスト/マルチキャストサービスセンタ(BM-SC)136は、コンテンツプロバイダのためのポータルまたはエントリポイントとして働き得、何らかの認証および他のサービスを提供し得る。ブロードキャスト/マルチキャスト管理エンティティ(BME)124は、制御シグナリングを受信、処理、および/または転送するように構成され得、MBMS制御シグナリングを受信するためのeNB106またはeNB108を選択するために使用され得る。
【００１８】
図1Bは、MBSFNサービスを提供またはサポートするための、ワイヤレス通信システム124の機能エンティティを示す。サービス品質(QoS)に関して、システム124は保証ビットレート(GBR)タイプのMBMSベアラを使用し、ここで最大ビットレート(MBR)はGBRに等しい。これらの構成要素は例として示され説明されており、本明細書で説明される進歩性のある概念を限定するものではなく、この概念は、マルチキャスト送信を配信および制御するための他のアーキテクチャおよび機能分散に対して採用され得る。
【００１９】
システム124は、MBMSゲートウェイ(MBMS GW)140を含み得る。MBMS GW140は、M1インターフェースを介したeノードB128へのMBMSユーザプレーンデータのインターネットプロトコル(IP)マルチキャスト配信を制御し、多くの可能なeNBのうちの1つのeNB128が示されている。加えて、MBMS GWは、M1インターフェースを介したUTRAN無線ネットワークコントローラ(RNC)144へのMBMSユーザプレーンデータのIPマルチキャスト配信を制御し、多くの可能なRNCのうちの1つのUTRAN RNC144が示されている。M1インターフェースは、MBMSデータ(ユーザプレーン)に関連付けられ、データパケットの配信のためにIPを利用する。eNB128は、E-UTRAN Uuインターフェースを介してMBMSコンテンツをユーザ機器(UE)/モバイルエンティティ126に提供し得る。RNC144は、Uuインターフェースを介してMBMSコンテンツをUEモバイルエンティティ146に提供し得る。MBMS GW140はさらに、MBMSセッション制御シグナリング、たとえば、モビリティ管理エンティティ(MME)132およびSmインターフェースを介したMBMSのセッションの開始およびセッションの停止を実行し得る。MBMS GW140はさらに、MBMSベアラを使用するエンティティにSG-mb(ユーザプレーン)の基準点を通じてインターフェースを提供し得、MBMSベアラを使用するエンティティにSGi-mb(制御プレーン)の基準点を通じてインターフェースを提供し得る。SG-mbインターフェースは、MBMSベアラサービス固有のシグナリングを搬送する。SGi-mbインターフェースは、MBMSデータ配信のためのユーザプレーンインターフェースである。MBMSデータ配信は、デフォルトモードであり得るIPユニキャスト送信によって、またはIPマルチキャストによって実行され得る。MBMS GW140は、サービング汎用パケット無線サービスサポートノード(SGSN)142およびSn/Iuインターフェースを介して、UTRAN上でMBMSに対する制御プレーン機能を提供し得る。
【００２０】
システム124はさらに、マルチキャスト協調エンティティ(MCE)130を含み得る。MCE130は、アドミッション制御機能形式のMBMSコンテンツを実行し、MBSFN動作を使用するマルチセルMBMS送信のためにMBSFNエリア中のすべてのeNBによって使用される時間および周波数無線リソースを割り振ることができる。MCE130は、たとえば、変調およびコーディング方式などのMBSFNエリアに対する無線構成を決定し得る。MCE130は、MBMSコンテンツのユーザプレーン送信をスケジューリングおよび制御し得、どのサービスがどのマルチキャストチャネル(MCH)において多重化されるべきかを決定することによって、eMBMSサービスの多重化を管理し得る。MCE130は、M3インターフェースを通じてMME132とのMBMSセッション制御シグナリングに参加し得、制御プレーンインターフェースM2をeNB128に提供し得る。
【００２１】
システム124はさらに、コンテンツプロバイダサーバ138と通信するブロードキャストマルチキャストサービスセンタ(BM-SC)136を含み得る。BM-SC136は、コンテンツプロバイダ138などの1つまたは複数のソースからのマルチキャストコンテンツの取り込みを処理し得、以下で説明されるような他の高水準の管理機能を提供し得る。これらの機能は、たとえば、特定されたUEに対するMBMSサービスの認証および開始を含む、メンバーシップ機能を含み得る。BM-SC136はさらに、MBMSセッションおよび送信機能、ライブブロードキャストのスケジューリング、ならびに、MBMSおよび関連する配信機能を含む配信を、実行し得る。BM-SC136はさらに、マルチキャストのために利用可能なコンテンツを告知することなどの、サービスの告知および説明を提供し得る。別個のパケットデータプロトコル(PDP)コンテキストが、UEとBM-SCとの間で制御メッセージを搬送するために使用され得る。BM-SCはさらに、鍵管理などのセキュリティ機能を提供し得、データボリュームおよびQoSなどのパラメータに従ってコンテンツプロバイダの課金を管理し得、ブロードキャストモードに対するUTRANおよびE-UTRANにおけるMBMSのためのコンテンツの同期を実現し得、UTRANにおいてMBSFNデータのヘッダ圧縮を実現し得る。BM-SC136は、QoSおよびMBMSサービスエリアなどのセッション属性を含む、セッションの開始、更新、および停止を、MBMS-GW140に示し得る。
【００２２】
システム124はさらに、MCE130およびMBMS-GW140と通信するモビリティ管理エンティティ(MME)132を含み得る。MME132は、E-UTRAN上でMBMSのための制御プレーン機能を提供し得る。加えて、MMEは、MBMS-GW140によって定義されるマルチキャスト関連の情報を、eNB128、144に提供し得る。MME132とMBMS-GW140との間のSmインターフェースは、MBMS制御シグナリング、たとえば、セッション開始信号およびセッション停止信号を搬送するために使用され得る。
【００２３】
システム124はさらに、P-GWと省略されることがあるパケットデータネットワーク(PDN)ゲートウェイ(GW)134を含み得る。P-GW134は、シグナリングおよび/またはユーザデータのために、UE126とBM-SC136との間に発展型パケットシステム(EPS)ベアラを提供し得る。したがって、P-GWは、UEに割り当てられたIPアドレスに関連して、UEが起源であるユニフォームリソースロケータ(URL)ベースの要求を受信することができる。BM-SC136はまた、P-GW134を介して1つまたは複数のコンテンツプロバイダにリンクされ得、P-GW134はIPインターフェースを介してBM-SC136と通信し得る。
【００２４】
図2は、LTEネットワークアーキテクチャにおけるアクセスネットワーク200の一例を示す図である。この例では、アクセスネットワーク200は、いくつかのセルラー領域(セル)202に分割されている。1つまたは複数の低電力クラスeNB208は、セル202のうちの1つまたは複数と重複するセルラー領域210を有し得る。低電力クラスeNB208は、フェムトセル(たとえば、ホームeNB(HeNB))、ピコセル、マイクロセル、またはリモート無線ヘッド(RRH)であり得る。マクロeNB204は各々、それぞれのセル202に割り当てられ、セル202中のすべてのUE206にEPC110へのアクセスポイントを提供するように構成される。アクセスネットワーク200のこの例では集中型コントローラはないが、代替構成では集中型コントローラが使用されてよい。eNB204は、無線ベアラ制御、アドミッション制御、モビリティ制御、スケジューリング、セキュリティ、およびサービングゲートウェイ116への接続性を含む、すべての無線関連機能を担当する。
【００２５】
アクセスネットワーク200によって利用される変調方式および多元接続方式は、導入されている特定の電気通信規格に応じて異なる場合がある。LTEの適用例では、DL上ではOFDMが使用され、UL上ではSC-FDMAが使用されて、周波数分割複信(FDD)と時分割複信(TDD)の両方をサポートする。当業者が以下の詳細な説明から容易に諒解するように、本明細書に提示される様々な概念は、LTEの適用例に好適である。しかしながら、これらの概念は、他の変調技法および多元接続技法を採用する他の電気通信規格に容易に拡張され得る。例として、これらの概念は、エボリューションデータオプティマイズド(EV-DO)またはウルトラモバイルブロードバンド(UMB)に拡張され得る。EV-DOおよびUMBは、CDMA2000規格ファミリの一部として第3世代パートナーシッププロジェクト2(3GPP2)によって公表されたエアインターフェース規格であり、CDMAを利用してブロードバンドインターネットアクセスを移動局に提供する。これらの概念はまた、広帯域CDMA(W-CDMA)およびTD-SCDMAなどのCDMAの他の変形形態を利用するユニバーサル地上波無線アクセス(UTRA)、TDMAを利用するモバイル通信用グローバルシステム(GSM（登録商標）)、ならびにOFDMAを利用する発展型UTRA(E-UTRA)、IEEE802.11(Wi-Fi)、IEEE802.16(WiMAX)、IEEE802.20、およびフラッシュOFDMに拡張され得る。UTRA、E-UTRA、UMTS、LTE、およびGSM（登録商標）は、3GPP団体からの文書に記載されている。CDMA2000およびUMBは、3GPP2団体からの文書に記載されている。採用される実際のワイヤレス通信規格および多元接続技術は、特定の適用例およびシステムに課された全体的な設計制約に依存する。
【００２６】
eNB204は、MIMO技術をサポートする複数のアンテナを有し得る。MIMO技術の使用により、eNB204が空間領域を活用して、空間多重化、ビームフォーミング、および送信ダイバーシティをサポートすることが可能になる。空間多重化は、同じ周波数で同時にデータの様々なストリームを送信するために使用され得る。データストリームは、データレートを増大させるために単一のUE206に送信されてよく、または全体的なシステム容量を増大させるために複数のUE206に送信されてもよい。これは、各データストリームを空間的にプリコーディングし(すなわち、振幅および位相のスケーリングを適用し)、次いで、空間的にプリコーディングされた各ストリームをDL上で複数の送信アンテナを通じて送信することによって実現される。空間的にプリコーディングされたデータストリームは、異なる空間シグネチャとともにUE206に到達し、これにより、UE206の各々は、そのUE206に向けられた1つまたは複数のデータストリームを復元することが可能になる。UL上では、各UE206は、空間的にプリコーディングされたデータストリームを送信し、これにより、eNB204は、空間的にプリコーディングされた各データストリームのソースを特定することが可能になる。
【００２７】
空間多重化は、一般に、チャネル状態が良好なときに使用される。チャネル状態がさほど好ましくないときは、送信エネルギーを1つまたは複数の方向に集中させるために、ビームフォーミングが使用され得る。これは、複数のアンテナを通じた送信のためにデータを空間的にプリコーディングすることによって実現され得る。セルの縁部において良好なカバレージを実現するために、単一ストリームのビームフォーミング送信が、送信ダイバーシティと組み合わせて使用され得る。
【００２８】
以下の詳細な説明では、アクセスネットワークの様々な態様が、DL上でOFDMをサポートするMIMOシステムを参照して説明される。OFDMは、OFDMAシンボル内のいくつかのサブキャリアにわたってデータを変調するスペクトル拡散技法である。サブキャリアは、正確な周波数で離間される。離間は、受信機がサブキャリアからのデータを復元することを可能にする「直交性」をもたらす。時間領域では、OFDMシンボル間干渉をなくすために、CPなどのガードインターバルが各OFDMAシンボルに追加され得る。ULは、SC-FDMAをDFT拡散OFDM信号の形式で使用して、高いピーク対平均電力比(PAPR)を補償することができる。
【００２９】
図3は、LTEにおけるDLフレーム構造の一例を示す図300である。フレーム(10ミリ秒)は、等しいサイズの10個のサブフレームに分割され得る。各サブフレームは、連続する2つの時間スロットを含み得る。リソースグリッドは、2つの時間スロットを表すために使用され得、各時間スロットはリソースブロックを含む。リソースグリッドは、複数のリソース要素に分割される。LTEでは、リソースブロックは、周波数領域の中で連続する12個のサブキャリアを含み、各OFDMAシンボルの中のノーマルCPの場合、時間領域の中で連続する7個のOFDMAシンボル、すなわち84個のリソース要素を含む。拡張CPの場合、リソースブロックは、時間領域の中で連続する6つのOFDMAシンボルを含み、72個のリソース要素を有する。R302、R304として示されたリソース要素のうちのいくつかは、DL基準信号(DL-RS)を含む。DL-RSは、(共通RSと呼ばれることもある)セル固有RS(CRS)302、およびUE固有RS(UE-RS)304を含む。UE-RS304は、対応する物理DL共有チャネル(PDSCH)がマッピングされるリソースブロック上のみで送信される。各リソース要素によって搬送されるビット数は、変調方式に依存する。したがって、UEが受信するリソースブロックが多いほど、かつ変調方式が高いほど、UE向けのデータレートは高くなる。
【００３０】
図4は、LTEにおけるULフレーム構造の一例を示す図400である。ULのために利用可能なリソースブロックは、データセクションおよび制御セクションに区分化され得る。制御セクションは、システム帯域幅の2つの縁部に形成され得、構成可能なサイズを有し得る。制御セクション内のリソースブロックは、制御情報の送信のためにUEに割り当てられ得る。データセクションは、制御セクションに含まれないすべてのリソースブロックを含み得る。ULフレーム構造により、データセクションは連続的なサブキャリアを含むことになり、これにより、単一のUEが、データセクション内の連続するサブキャリアのすべてを割り当てられることが可能になり得る。
【００３１】
UEは、制御情報をeNBに送信するために、制御セクション内のリソースブロック410a、410bを割り当てられ得る。UEはまた、データをeNBに送信するために、データセクション内のリソースブロック420a、420bを割り当てられ得る。UEは、制御セクションの中で割り当てられたリソースブロック上の物理UL制御チャネル(PUCCH)内で、制御情報を送信し得る。UEは、データセクションの中で割り当てられたリソースブロック上の物理UL共有チャネル(PUSCH)内で、データのみ、またはデータと制御情報の両方を送信し得る。UL送信は、サブフレームの両方のスロットにまたがることができ、周波数にわたってホップすることができる。
【００３２】
初期システムアクセスを実行し、物理ランダムアクセスチャネル(PRACH)430内でUL同期を実現するために、1組のリソースブロックを使用することができる。PRACH430は、ランダムシーケンスを搬送し、いかなるULデータ/シグナリングも搬送することができない。各ランダムアクセスプリアンブルは、連続する6つのリソースブロックに対応する帯域幅を占有する。開始周波数は、ネットワークによって指定される。すなわち、ランダムアクセスプリアンブルの送信は、特定の時間リソースおよび周波数リソースに制限される。PRACHの場合、周波数ホッピングは存在しない。PRACHの試行は、単一のサブフレーム(1ミリ秒)内で、または少数の連続するサブフレームのシーケンス内で搬送され、UEは、フレーム(10ミリ秒)ごとに単一のPRACHの試行しか行うことができない。
【００３３】
図5は、LTEにおけるユーザプレーンおよび制御プレーンのための無線プロトコルアーキテクチャの一例を示す図500である。UEおよびeNBのための無線プロトコルアーキテクチャは、レイヤ1、レイヤ2、およびレイヤ3という3つのレイヤで示される。レイヤ1(L1レイヤ)は、最下位レイヤであり、様々な物理レイヤ信号処理機能を実装する。本明細書では、L1レイヤは物理レイヤ506と呼ばれる。レイヤ2(L2レイヤ)508は、物理レイヤ506の上にあり、物理レイヤ506を介したUEとeNBとの間のリンクを担当する。
【００３４】
ユーザプレーンでは、L2レイヤ508は、媒体アクセス制御(MAC)サブレイヤ510、無線リンク制御(RLC)サブレイヤ512、およびパケットデータコンバージェンスプロトコル(PDCP)514サブレイヤを含み、これらはネットワーク側のeNBで終端される。図示されていないが、UEは、L2レイヤ508の上にいくつかの上位レイヤを有する場合があり、これらは、ネットワーク側のPDNゲートウェイ118で終端されるネットワークレイヤ(たとえば、IPレイヤ)と、接続の他端(たとえば、遠端UE、サーバなど)で終端されるアプリケーションレイヤとを含む。
【００３５】
PDCPサブレイヤ514は、様々な無線ベアラと論理チャネルとの間の多重化を実現する。PDCPサブレイヤ514はまた、無線送信のオーバーヘッドを低減するための上位レイヤのデータパケット用のヘッダ圧縮、データパケットを暗号化することによるセキュリティ、およびeNB間のUE用のハンドオーバのサポートを実現する。RLCサブレイヤ512は、上位レイヤのデータパケットのセグメント化および再アセンブリ、紛失したデータパケットの再送信、ならびに、ハイブリッド自動再送要求(HARQ)に起因して順序が乱れた受信を補償するデータパケットの並べ替えを実現する。MACサブレイヤ510は、論理チャネルとトランスポートチャネルとの間の多重化を実現する。MACサブレイヤ510はまた、1つのセルの中の様々な無線リソース(たとえば、リソースブロック)をUEの間で割り振ることを担当する。MACサブレイヤ510はまた、HARQ動作を担当する。
【００３６】
制御プレーンでは、UEおよびeNBのための無線プロトコルアーキテクチャは、制御プレーン用のヘッダ圧縮機能がないことを除き、物理レイヤ506およびL2レイヤ508について実質的に同じである。制御プレーンはまた、レイヤ3(L3レイヤ)内に無線リソース制御(RRC)サブレイヤ516を含む。RRCサブレイヤ516は、無線リソース(すなわち、無線ベアラ)を取得すること、およびeNBとUEとの間のRRCシグナリングを使用して下位レイヤを構成することを担当する。
【００３７】
図6は、アクセスネットワーク中でUE650と通信するeNB610のブロック図である。DLでは、コアネットワークからの上位レイヤパケットが、コントローラ/プロセッサ675に供給される。コントローラ/プロセッサ675は、L2レイヤの機能を実装する。DLでは、コントローラ/プロセッサ675は、ヘッダ圧縮、暗号化、パケットのセグメント化および並べ替え、論理チャネルとトランスポートチャネルとの間の多重化、ならびに、様々な優先順位基準に基づくUE650への無線リソース割振りを実現する。コントローラ/プロセッサ675はまた、HARQ動作、紛失したパケットの再送信、およびUE650へのシグナリングを担当する。
【００３８】
送信(TX)プロセッサ616は、L1レイヤ(すなわち、物理レイヤ)のための様々な信号処理機能を実装する。信号処理機能は、UE650での順方向誤り訂正(FEC)を容易にするコーディングおよびインターリービング、ならびに様々な変調方式(たとえば、2位相シフトキーイング(BPSK)、直交位相シフトキーイング(QPSK)、M位相シフトキーイング(M-PSK)、M直交振幅変調(M-QAM))に基づく信号コンスタレーションへのマッピングを含む。次いで、コーディングおよび変調されたシンボルは、並列ストリームに分割される。次いで、各ストリームは、OFDMサブキャリアにマッピングされ、時間領域および/または周波数領域において基準信号(たとえば、パイロット)と多重化され、次いで、逆高速フーリエ変換(IFFT)を使用して一緒に結合されて、時間領域のOFDMAシンボルストリームを搬送する物理チャネルを生成する。OFDMストリームは、空間的にプリコーディングされて、複数の空間ストリームを生成する。チャネル推定器674からのチャネル推定値は、コーディングおよび変調方式を決定するために、ならびに空間処理のために使用され得る。チャネル推定値は、UE650によって送信された基準信号および/またはチャネル状態フィードバックから導出され得る。次いで、各空間ストリームは、別個の送信機618TXを介して異なるアンテナ620に供給され得る。各送信機618TXは、送信用のそれぞれの空間ストリームでRFキャリアを変調し得る。
【００３９】
UE650において、各受信機654RXは、それぞれのアンテナ652を介して信号を受信する。各受信機654RXは、RFキャリア上に変調された情報を復元し、その情報を受信(RX)プロセッサ656に供給する。RXプロセッサ656は、L1レイヤの様々な信号処理機能を実施する。RXプロセッサ656は、情報に対して空間処理を実行して、UE650に宛てられた任意の空間ストリームを復元し得る。複数の空間ストリームがUE650に向けられている場合、これらをRXプロセッサ656によって単一のOFDMAシンボルストリームに結合することができる。次いで、RXプロセッサ656は、高速フーリエ変換(FFT)を使用して、OFDMAシンボルストリームを時間領域から周波数領域に変換する。周波数領域信号は、OFDM信号の各サブキャリアに関して別個のOFDMAシンボルストリームを含む。各サブキャリア上のシンボル、および基準信号は、eNB610によって送信された最も可能性の高い信号コンスタレーションポイントを決定することによって、復元および復調される。これらの軟判定は、チャネル推定器658によって計算されたチャネル推定値に基づき得る。次いで、軟判定は復号およびデインターリーブされて、物理チャネル上でeNB610によって元々送信されたデータおよび制御信号を復元する。次いで、データおよび制御信号は、コントローラ/プロセッサ659に供給される。
【００４０】
コントローラ/プロセッサ659は、L2レイヤを実装する。コントローラ/プロセッサは、プログラムコードおよびデータを記憶するメモリ660と関連付けることができる。メモリ660は、コンピュータ可読媒体と呼ばれることがある。ULでは、コントローラ/プロセッサ659は、トランスポートチャネルと論理チャネルとの間の逆多重化、パケット再アセンブリ、暗号化解除、ヘッダ圧縮解除、制御信号処理を実現して、コアネットワークからの上位レイヤパケットを復元する。次いで、上位レイヤパケットはデータシンク662に供給され、データシンク662はL2レイヤの上のすべてのプロトコルレイヤを表す。様々な制御信号も、L3処理のためにデータシンク662に供給され得る。コントローラ/プロセッサ659はまた、HARQ動作をサポートするために、確認応答(ACK)および/または否定応答(NACK)のプロトコルを使用する誤り検出を担当する。
【００４１】
ULでは、コントローラ/プロセッサ659に上位レイヤパケットを供給するために、データソース667が使用される。データソース667は、L2レイヤの上のすべてのプロトコルレイヤを代表する。eNB610によるDL送信に関連して説明された機能と同様に、コントローラ/プロセッサ659は、ヘッダ圧縮、暗号化、パケットのセグメント化および並べ替え、ならびに、eNB610による無線リソース割振りに基づく論理チャネルとトランスポートチャネルとの間の多重化を実現することによって、ユーザプレーンおよび制御プレーンのためのL2レイヤを実装する。コントローラ/プロセッサ659はまた、HARQ動作、紛失したパケットの再送信、およびeNB610へのシグナリングを担当する。
【００４２】
eNB610によって送信された基準信号またはフィードバックからチャネル推定器658によって導出されたチャネル推定値は、適切なコーディングおよび変調方式を選択し、空間処理を容易にするために、TXプロセッサ668によって使用され得る。TXプロセッサ668によって生成された空間ストリームは、別個の送信機654TXを介して異なるアンテナ652に供給され得る。各送信機654TXは、送信用のそれぞれの空間ストリームを用いてRFキャリアを変調し得る。
【００４３】
UL送信は、UE650での受信機機能に関連して説明された方式と同様の方式で、eNB610で処理される。各受信機618RXは、それぞれのアンテナ620を通じて信号を受信する。各受信機618RXは、RFキャリア上に変調された情報を復元し、その情報をRXプロセッサ670に供給する。RXプロセッサ670は、L1層を実装し得る。
【００４４】
コントローラ/プロセッサ675は、L2レイヤを実装する。コントローラ/プロセッサ675は、プログラムコードおよびデータを記憶するメモリ676と関連付けることができる。メモリ676は、コンピュータ可読媒体と呼ばれることがある。ULでは、コントローラ/プロセッサ675は、トランスポートチャネルと論理チャネルとの間の逆多重化、パケット再アセンブリ、暗号化解除、ヘッダ圧縮解除、制御信号処理を実現して、UE650からの上位レイヤパケットを復元する。コントローラ/プロセッサ675からの上位レイヤパケットは、コアネットワークに供給され得る。コントローラ/プロセッサ675はまた、HARQ動作をサポートするために、ACKおよび/またはNACKのプロトコルを使用する誤り検出を担当する。
【００４５】
図7は、MBSFN内の発展型マルチキャストブロードキャストマルチメディアサービス(eMBMS)を示す図750である。セル752'内のeNB752は第1のMBSFNエリアを形成し得、セル754'内のeNB754は第2のMBSFNエリアを形成し得る。eNB752、754は、他のMBSFNエリア、たとえば、合計8つまでのMBSFNエリアと関連付けられ得る。MBSFNエリア内のセルは、予約セルに指定され得る。予約セルは、マルチキャスト/ブロードキャストのコンテンツを供給しないが、セル752'、754'に時間同期され、MBSFNエリアへの干渉を制限するために、MBSFNリソース上で規制された電力を有する。MBSFNエリア内の各eNBは、同期方式で、同じeMBMSの制御情報およびデータを同期して送信する。各エリアは、ブロードキャストサービス、マルチキャストサービス、およびユニキャストサービスをサポートし得る。ユニキャストサービスは、特定のユーザを対象とするサービス、たとえば、音声通話である。マルチキャストサービスは、あるグループのユーザによって受信され得るサービス、たとえば、サブスクリプションビデオサービスである。ブロードキャストサービスは、すべてのユーザによって受信され得るサービス、たとえば、ニュース放送である。図7を参照すると、第1のMBSFNエリアは、特定のニュース放送をUE770に供給することなどによって、第1のeMBMSブロードキャストサービスをサポートし得る。第2のMBSFNエリアは、異なるニュース放送をUE760に供給することなどによって、第2のeMBMSブロードキャストサービスをサポートし得る。各MBSFNエリアは、複数の物理マルチキャストチャネル(PMCH)(たとえば、15個のPMCH)をサポートする。各PMCHは、マルチキャストチャネル(MCH)に対応する。各MCHは、複数(たとえば、29個)のマルチキャスト論理チャネルを多重化することができる。各MBSFNエリアは、1つのマルチキャスト制御チャネル(MCCH)を有し得る。したがって、1つのMCHは、1つのMCCHおよび複数のマルチキャストトラフィックチャネル(MTCH)を多重化することができ、残りのMCHは、複数のMTCHを多重化することができる。
【００４６】
OFDMシンボル間干渉を抑制しサブキャリア間の直交性を維持するためのガードインターバルを設けるために、OFDMシンボルの始まりにCPが追加される。たとえば、eNBとUEとの間のチャネル内に複数の通信経路が存在することによって引き起こされる時間分散性チャネルの問題が原因で、符号間干渉が発生し得る。図8は、符号間干渉を生じ得る例示的なシナリオ800およびシナリオ840を示す図である。図8はまた、UE804において観測されるような伝搬遅延の影響を示すタイミングチャート820を含む。例示的なシナリオ800は、UE804と通信する単一のeNB802に関する。UE804においてeNB802から受信されるシンボル822は、直接伝搬経路808によって進行し、シンボル822の遅延したバージョンは、たとえば、建物であるかもしれない物体806における反射によって作り出された長い間接伝搬経路810からの遅延シンボル828として到達する。シンボル822の到達時間832と遅延シンボル828の到達時間834との差がCP継続時間よりも短い場合、符号間干渉は発生せず、シンボル822およびシンボル828は、UE804において合成され得る。示される例では、CP824の継続時間は、時間830において終わる遅延シンボル828と次のシンボル826との間の符号間干渉を防ぐために十分長い。シンボル822のUE804における直接経路808を通じた到達時間832と遅延シンボル828のUE804における到達時間834との差は、シナリオ800の遅延スプレッドと呼ばれることがあり、詳細には、間接経路810は、eNB802とUE804との間で利用可能な最長の間接伝搬経路である。間接経路は、eNB802およびUE804と関連した最長の伝搬経路長および/または遅延を有し得る。
【００４７】
タイミングチャート820はまた、eNB842およびeNB846が、UE844から著しく異なる距離に位置し得、または長さが著しく異なる1つまたは複数の伝搬経路に沿って送信し得る、eMBMSシナリオ840の代表であり得る。その結果、それぞれeNB842およびeNB846によって同期的な方式で送信されるシンボル822および遅延シンボル828は、UE844において異なる時間に到達し得る。タイミングチャート820に示すように、UE844において受信される次のシンボル826のCP824の継続時間中に遅延シンボル828の終わりが発生する場合、符号間干渉は避けられ得る。シンボル822と828との間の遅延スプレッドがCP継続時間よりも短い場合、異なる伝搬経路によって到達するシンボル822およびシンボル828は、UE804において合成され得る。シンボル822のUE844における最短の伝搬経路(ここでは、近くのeNB842)による到達時間832と、シンボル828のUE844における遠くのeNB846からの到達時間834との間の差は、eMBMSシナリオ840の遅延スプレッドと呼ばれることがある。eMBMSシナリオ840に関する遅延スプレッドは、通常、最も近くのeNB842からの直接経路808に対応し得るeNB842またはeNB846とUE844との間の最短の伝搬経路長と関連した到達時間832と、通常は最も遠くのeNB846からの、MBSFNエリアにおける最長の間接経路810に対応し得るeNB842またはeNB846とUE844との間の最長の伝搬経路長と関連した到達時間834とを使用して計算され得る。最長の伝搬経路長はまた、より長い間接伝搬経路が近くのeNB842とUE844との間に存在するとき、遠くのeNB846よりも近いeNB846と関連し得る。
【００４８】
具体的には、MBSFNエリアがそれに対応して大きい遅延スプレッドを発生させる大きいセルを備えるとき、LTEは、eMBMSのためにノーマルCPの代わりに使用され得る拡張CPを規定する。たとえば、拡張CPの継続時間はLTEに関して16.7μ秒であってよく、ノーマルCPの継続時間は4.7μ秒または5.1μ秒であってよい。eMBMSでは、CP824は、MBSFNの中で異なるeNB842、846から受信される送信のタイミング差をカバーすることを必要とされ得る。MBSFNにおけるUE844は、10〜40ワットの範囲の送信電力を有する近くのeNB842から、およびより大きい送信電力、たとえば、80kW以上を有し、UE842までの比較的長い(たとえば、20キロメートル(km)まで、およびそれを越える長さ)伝搬経路長を有する遠くのeNB846から、信号を受信し得る。長いCP継続時間は、eNB842と846の両方からの信号が合成されることを可能にし、UE844と送信電力が大きい遠くのeNB846との間のより長い伝搬経路に関する符号間干渉を回避するために使用され得る。いくつかの実施形態では、拡張CPの継続時間よりも少なくとも2倍または3倍長いCP継続時間が使用され得る。シンボルおよびCPを送信するために必要となる時間のパーセンテージとしてのCP継続時間は、CPオーバーヘッドと呼ばれることがある。いくつかの実施形態は、増大したCPオーバーヘッドを含み得る増大したCP継続時間の影響を補償するために、シンボル継続時間を増大させ得る。
【００４９】
eMBMSにおいて、各eNBとUEとの間に複数の伝搬経路が存在し得、MBSFNの中の異なるeNBは、互いに異なりUEからのそれらのそれぞれの距離に起因する伝搬遅延を有し得る。図9Aおよび図9Bは、MBSFNエリアにおける遅延スプレッドをより詳細に示す。図9Aおよび図9Bは、3つのeNBが同期方式で時間t0において同じ信号情報をUEに送信する例示的なMBSFNエリアに関する。タイミングチャート900に示すように、複数の信号は、UEによってeNBの各々から受信される。信号の第1のグループ902は、グループ902の中の最初の信号が時間t1において到達してUEにおいて第1のeNBから受信され、信号の第2のグループ904は、グループ904の中の最初の信号が時間t2において到達してUEにおいて第2のeNBから受信され、信号の第3のグループ906は、グループ906の中の最初の信号が時間t3において到達して第3のeNBから受信される。各グループ902、904、および906の中の信号は、異なる時間においてUEに到達し得、t0と各グループ902、904および906の最初の信号の到達、t1、t2、およびt3との間で経過した時間は、それぞれ、グループ902、904および906に関する最小伝搬遅延を表し得る。最小伝搬遅延は、eNBとUEとの間の最短の伝搬経路に対応し得る。
【００５０】
タイミングチャート900はさらに、各eNBとUEとの間の伝搬経路の長さの差が原因で、各eNBによって送信された信号が異なる時間においてUEに到達し得ることを示す。信号グループ902に関して図示するように、信号の遅延したバージョンは、時間t1+x、t1+y、およびt1+zにおいて到達し得る。t1とt1+zとの間で経過した時間は、第1のeNBと関連し第1のeNBとUEとの間の異なる伝搬経路に対応する遅延スプレッドを表し得る。eNBとUEとの間の各伝搬経路は、eNBとUEとの間の他の伝搬経路と同じまたは異なる減衰を有し得る。
【００５１】
図示のように、グループ902の最初の信号は、UEによって受信される最初の信号である(t1)。UEは、1つまたは複数のeNBから受信された1つまたは複数の信号を、統合または合成し得る。時間t1に対してCP1の継続時間の長さよりも短く遅延した信号は、UEにおいて合成され得る。CP1は、図9AのMBSFNについて規定されているCPである。CP1の継続時間よりも長く遅延した信号は、符号間干渉を引き起こし得る。グループ906の中の信号は、チャネルノイズレベルに近いレベルまで減衰されたものとして示され、これらの減衰された信号は、著しい符号間干渉を引き起こすことがなく、またはUEによって見られるようなMSFN利得に著しく寄与することがない。したがって、CP1は、グループ902と906との間の相対的な伝搬遅延(すなわち、t3-t1)よりも短い継続時間を有し得、したがって、グループ906の信号は、第1のeNBおよび第2のeNBからUEにおいて受信された信号とコヒーレントに合成され得ない。
【００５２】
通常、減衰は伝搬経路長とともに増大する。図9Aに示すように、第3のeNBから受信されたグループ906の信号は、示されているMBSFNにおける最長の伝搬遅延を有し、最も減衰されてもいる。CPの長さは、UEにおいて受信された信号の相対的な伝搬遅延よりも短くなるように構成され得、その場合、相対的な伝搬遅延は、信号の減衰が著しい符号間干渉を引き起こし、またはUEによって見られるMSFNチャネル利得に著しく寄与すると予期されない伝搬経路長に対応する。たとえば、グループ906の信号は、著しく減衰されており、CP1が使用されるときのUEにおけるコヒーレントな組合せから除外され得る。
【００５３】
図9Bは、第3のeNB(グループ906')から受信された信号の電力レベルが、第1のeNBおよび第2のeNBから受信されたグループ902およびグループ904の中の少なくともいくつかの信号の電力レベルと同等である、第1、第2、および第3のeNBに関する遅延スプレッドおよび減衰を示す。受信された信号電力におけるこの類似は、第1のeNBおよび第2のeNBの電力出力に比べて増大されている第3のeNBからの送信機の電力出力の結果であり得る。CPの長さがグループ906'の中の重要な信号の伝搬遅延をカバーするには十分に長くないとき、グループ906'の中の信号の増大されている電力は、著しい符号間干渉を引き起こし得る。したがって、より長いCP継続時間は、MBSFN(CP2)が第3のeNBから受信されたグループ906'の中の信号の伝搬遅延をカバーするように構成され得、それによって、グループ906'の信号が第1のeNBおよび第2のeNBから受信された信号とコヒーレントに合成されてUEにおけるMBSFN利得をもたらすことを可能にする。
【００５４】
新型テレビジョンシステム委員会(ATSC)などの様々な地上放送システムにおける特有のブロードキャストのユースケースは、LTEブロードキャスト/eMBMSの派生的な形成にとって役立つことがある。特有の条件に応じて、これらのユースケースは、通常のサイクリックプレフィックスおよび拡張サイクリックプレフィックスなどの既存のLTE規格において名目上は利用可能なものよりも、長いサイクリックプレフィックスから恩恵を受け得る。
【００５５】
考察する第1のユースケースは、低電力、低いタワー高、モバイル、単一周波数ネットワーク(SFN)のネットワークを備える。このユースケースは、屋内、屋外、または車両用にかかわらず、タブレットおよびスマートフォンをサポートし得る典型的なLTEブロードキャスト用途を規定する。低電力は、通常、5MHz当たり2kWの実効等方放射電力(EIRP)の範囲の送信機サイトを有するネットワークを指す。低いタワーは、通常、30mの範囲の放射高を指し、モバイルは、通常、受信アンテナが静止していないサービスのすべてのクラスをサポートするネットワークタイプを指す。ドップラー速度の適用可能な範囲は、ATSCにとって概ね3km/hr〜200km/hrである。現在規定されている16.66μ秒および33.33μ秒のサイクリックプレフィックスは、混合キャリアモードと専用のキャリアモードの両方において十分なはずである。サイクリックプレフィックスのこの選択は、任意のスタンドアロンモードで再現され得る。この配置スタイルはまた、名目上は固定した受信機による屋内の受信にとって適当であり得る。高いドップラーレートは、一般に、このユースケースにとって必要とされず、低速度のドップラーが有益であり得る。そのような受信にとって適切なチャネルモデルは、マルチパスレイリーフェージングモデルである。屋内の受信は、時間的な意味において至近距離からの反射によって支配される可能性が高い。このユースケースが、レイリーフェージングに支配されたチャネルモデルによって支配されているとすれば、MIMOの使用に起因して起こり得る著しい効率の向上があり得る。ここでのMIMOの潜在的な利点は、ネットワークの配置スタイルに依存する。
【００５６】
この配置スタイルは、単一周波数ネットワーク(SFN)である。通常、そのような配置での周波数再使用は100%であり、配置の秒当たりのビット(bps)/Hzは2bps/Hz以下であるが、変調コーディング方式(MCS)の選択は、マルチキャストブロードキャストマルチメディアサービスSFN(MBSFN)エリア内のサイト密度およびサイトの総数によって最終的に決定され得る。あるMBSFNから別のものへの移行に関して干渉領域が存在し、このことはネットワーク設計において考慮されなければならない。
【００５７】
考察する別のユースケースは、中電力、高いタワー、モバイル、SFNを備える。中電力は、通常、最大放射電力が50kWの実効放射電力(ERP)である送信機を指し、高いタワーは、通常、200mを越える送信放射高を指す。この配置スタイルは、屋内、屋外、または車両内にかかわらず、タブレットおよびスマートフォンをサポートし得る、可能なATSC/LTEブロードキャスト用途である。ドップラー速度の適用可能な範囲は、概ね、3km/hrから200km/hrまでにわたり得る。この配置スタイルはまた、名目上は固定した受信機による屋内の受信にとって潜在的に適当である。低電力、低いタワー高、モバイル、SFNを伴うとき、高いドップラーレートは、一般にこのユースケースにとって必要とされず、低速度のドップラーが有益であり得る。そのような受信にとって適切なチャネルモデルも、マルチパスレイリーフェージングモデルであり得る。
【００５８】
現在規定されるように、既存のサイクリックプレフィックスが長い遅延差から守るのに十分長くないことがあるように、LTEブロードキャストの物理レイヤは、このユースケースへの適用にとって制限を有する。ネットワークに高い送信タワーが存在することは、90μ秒よりも長いサイクリックプレフィックスが有益であり得るそのような長い遅延差をもたらし得る。
【００５９】
考察する別のユースケースは、高電力、高いタワー、マルチ周波数ネットワーク(MFN)を備え、ループトップ受信を用いる。ループトップ受信は、一般に、受信アンテナが静止しており9から10mの間の範囲の受信高にあることを指す。このタイプの配置スタイルはまた、名目上は固定した受信機を用いた消費のためのループトップ受信をサポートする、可能なATSC/LTEブロードキャスト用途である。現在規定されているチャネルモデルは付加白色ガウス雑音(AWGN)ベースのモデルであるが、ライスモデルもこのユースケースにおける適切なチャネルを規定するために有用であり得ることが知られている。このスタイルの配置に関するチャネルの継続時間は、通常、百分順位が99番目の受信場所にとって30μ秒よりも短い。しかしながら、100μ秒までの経路の知られているケースもある。これらの長い経路が原因で、このユースケースをサポートするために、100μ秒よりも長いサイクリックプレフィックス継続時間が必要であり得る。サイクリックプレフィックスのこの寸法はまた、高電力フットプリント内、たとえば、地理的に陰にされたエリアの中の中電力SFNをサポートし得る。
【００６０】
ATSCの目標効率は、現在、AWGNチャネルに対して15dBのキャリア対ノイズ(C/N)において、4.2bps/Hzに規定されている。このレベルの容量を実現するために、パイロットオーバーヘッドは、モバイルプロファイルと比較して低減されるべきである。Hz当たりのbpsの高い効率の、比較的長いサイクリックプレフィックスとのこの組合せはまた、より大規模な高速フーリエ変換(FFT)の要件をもたらす。
【００６１】
このユースケースにおいて時間ダイバーシティがないことは、巡回遅延ダイバーシティ(CDD)または他の関係する方法、たとえば、空間周波数ブロックコード(SFBC)の使用によって処理され得るが、このことは、屋内の受信にとって発生する可能性がより高く、また、より大きいパイロットエネルギーを使用することを必要とし得るレイリーチャネルにとって最も効果的であることに留意されたい。したがって、最大ループトップ受信効率と屋内の受信との間に対立が存在し得る。
【００６２】
考察する別のユースケースは、低電力、低いタワー、SFN、ループトップ受信を備える。このユースケースは、名目上はATSCのコンテキスト内で必要とされることはないが、他のユースケースを別の方法でサポートするかもしれないサイクリックプレフィックスの範囲内に属し得る。このユースケースは、一般に、中程度に密集した配置を伴う屋内および車両のハンドヘルド受信のための都市/郊外のカバレージ、ならびにはるかにまばらな田舎の配置におけるループトップ受信に基づく。シミュレーションは、200μ秒までのサイクリックプレフィックス継続時間が田舎の受信ユースケースにとって有益であり得ることを実証している。
【００６３】
SFN配置スタイルのように、スペクトルの再使用が100%に接近し得る場合、的確なスペクトルの再使用は、それぞれのマルチキャストブロードキャスト単一周波数ネットワーク(MBSFN)の田舎の境界エリアにおいて十分な前後比を備えた指向性受信アンテナを使用することに依存する。SFNの内側のエリアは、全指向性アンテナを利用し得る。郊外のエリア内でのMBSFNの移行は、前の低電力、低いタワーのユースケースと類似の干渉の考察を使用し得る。
【００６４】
いくつかの方法は、LTEそのままの一般的構造を別の方法で残しながら、シンボルの総継続時間を長くすることを必要とする。サイクリックプレフィックスオーバーヘッドが総継続時間の20%のままである限り、この処理は妥当であり得る。しかしながら、将来のブロードキャストシステムとともに使用される送信効率を実現するために、サイクリックプレフィックス継続時間を、オーバーヘッドを低減しながら大きくする必要があり得る。したがって、本開示のそのような態様は、時間方向と周波数方向との両方において修正された数秘学を利用し得る。
【００６５】
一般に、継続時間が拡張されたサイクリックプレフィックスを規定することの2つの手法、すなわち、シンボル当たりに割り当てられる時間の総継続時間を増大させそれに比例してサイクリックプレフィックスを大きくすること、またはより大きい比率の時間をサイクリックプレフィックスに引き渡すことがある。各手法がサイクリックプレフィックスの長さを拡張するが、より大きい比率の時間をサイクリックプレフィックスに引き渡すことは、一般に、最大サイクリックプレフィックス継続時間を制限する。
【００６６】
LTEの送信構造は1ミリ秒のサブフレームに基づく。したがって、シンボル+サイクリックプレフィックスの総継続時間は、サブフレーム継続時間に対して調整され得、サイクリックプレフィックス継続時間を変化させられるように調整され得る。適用され得るいくつかの可能な数秘学が存在する。本開示の様々な態様は、分数の意味であろうと複数としてであろうと、このことが実装を簡略化するように、送信される総継続時間がサブフレームに対して整数の関係であるように制約することを選択する。
【００６７】
リソースブロック構造、たとえば、4.5MHzを占める25RB内の300キャリアは変更されないままであり、リソースブロック当たりのOFDMキャリアの数は継続時間に比例する。下のTable 1(表1)を参照されたい。Table 1(表1)における最初の2つの行は、混合キャリアモードまたは専用キャリアモードについてすでに必要とされている実装を示す。Table 1(表1)において、新しいフォーマットのサブフレームが、すべての追加されたモードにとって100%LTEブロードキャストであることが想定されている。
【００６８】
【表１】
2016533139.tif 000003
【００６９】
Table 1(表1)は、5、6、および20MHzに関するFFTサイズを示す。より広い、たとえば、20MHzの割振りを逐次方式で復号することも可能である。このことは、FFTサイズおよび関連したメモリを最小限に抑える。しかしながら、それはまた、ピークのビットレートを束縛し得、統合された所与の多重化内での複数のサービスにわたる復号の同時処理を制限し得る。図10は、時間および周波数にわたる概念的な統計的多重化1000を示すブロック図である。N個の復号されたサービスは、時間領域において非ブロッキングでなければならない。たとえば、サービス6a 1001の部分は、6b 1002の他の部分と時間において重複しない。高い帯域幅の多重化のためのこの漸進的な復号方法は、中電力モバイルおよび潜在的に低い電力、低いタワー、ループトップ受信のユースケースを可能にしながらモバイルデバイスにおけるさらなる複雑さを制限するので、モバイルサービスにとって望ましい解決策であり得る。
【００７０】
上の拡張サイクリックプレフィックスのモバイルモードは、後に続くに従って複雑さに影響を及ぼす。サポートされる総継続時間は増大されており、いくつかのモードはサブフレームに対して分数である。これらの態様はシグナリングに含まれ、最大FFTは増大する。このことは、シンボル時間+サイクリックプレフィックスの総継続時間が増大されたことの直接の結果である。新しい各総継続時間について、新たに定義されたパイロットパターンが存在する。
【００７１】
モバイル用途のためにサポートされる現在の最大bps/Hzは、3bps/Hzよりも大きい。しかしながら、最高に可能なbps/Hz効率を実現することは、固定プロファイルを使用することを教示し、上のTable 1(表1)と比較して、総継続時間に対するパイロットオーバーヘッドの低減およびサイクリックプレフィックス継続時間の低減をもたらす。これらの高効率固定モードは、大規模な変換および狭いキャリア間隔に起因して、モバイル用途において受諾され得ないことがある。狭いキャリア間隔は、キャリア間干渉(ICI)除去なしにサポート可能な最大ドップラーレートを著しく制限する。ICIは、デバイスの複雑さを大幅に増大させる。大規模な変換も、複雑さに影響を及ぼす。モバイルの要件が、ICIなしに、または大きい固定プロファイル変換の使用なしに満たされることが好ましくあり得る。
【００７２】
図11は、本開示の一態様を実施するように実行される例示的なブロックを示す機能ブロック図である。ブロック1100において、ブロードキャストで送信されるべきOFDMAシンボルのためのサイクリックプレフィックスオーバーヘッドが選択され、サイクリックプレフィックスオーバーヘッドは、標準的なキャリア対RBの規定の整数倍に基づいて決定される。ブロードキャストは、たとえば、マルチメディアブロードキャストであってよい。整数倍を選択する際に、公称の300キャリア対25RBの規定が使用される。300キャリア対25RBの整数倍は、300キャリア対25RBの規定に従って規定されている既存のシステムでの規範的な20%のオーバーヘッドよりも小さいオーバーヘッドにおける可変サイクリックプレフィックス継続時間を可能にする。たとえば、370キャリアにおいて始まり5キャリアずつ300キャリアまで下へ順序付けするキャリア群の特有の組合せは、N×1.33%の分数レートにおけるサイクリックプレフィックスオーバーヘッドのパーセンテージの直線的な数列を有益に形成し得、ここで、Nは選択される組合せの比、たとえば、370対規範的な300キャリアの整数倍を表す。
【００７３】
ブロック1101において、サイクリックプレフィックス継続時間が、OFDMAシンボルのために選択され、サイクリックプレフィックス継続時間は、標準的なキャリア対RBの規定の整数倍に基づいて、RB当たり整数個のキャリアをもたらすように決定される。規範的な300キャリア対25RBに対して一群のキャリアが選択されると、サイクリックプレフィックス継続時間およびシンボル継続時間の総継続時間を考慮して、RB当たり整数個のキャリアを可能にするサイクリックプレフィックス継続時間のシーケンスが形成され得る。たとえば、370〜300キャリアの一群の選択を用いて、RB当たり整数個のキャリアをもたらす2.5、5、および10ミリ秒のサイクリック継続時間が形成され得る。
【００７４】
ブロック1102において、OFDMAシンボルは、サイクリックプレフィックス継続時間およびサイクリックプレフィックスオーバーヘッドを使用して送信される。
【００７５】
下のTable 2(表2)は、100μ秒よりも大きい遅延スプレッドに対するいくつかの地上放送システム要件を、いくらかのマージンを伴って満たすことができるいくつかの選択を示す。サイクリックプレフィックスの小さい比率を実現するために、公称の25RB当たり300キャリアに対するキャリアの数は、増大することになる。固定モードに関する複雑さの問題は、モバイルに対するものほど制約することはないが、FFTを32K以下に保つことは依然として望ましくあり得る。
【００７６】
【表２】
2016533139.tif 000004
【００７７】
これらの可能な構成のうち2.5、5および10ミリ秒は、数秘学がRB当たり整数個のキャリアとなる結果にし得るので、潜在的に関心を引く総継続時間である。下のTable 3(表3)は、上の数秘学がリソースブロック当たり整数個のキャリアをどのようにもたらすのかを示す。RB当たりのキャリアの数は、式:
RB当たりのキャリアの数=180kHz×総継続時間×(1-分数CP) (1)
に従って計算され得る。
【００７８】
180kHzがRBの帯域幅を表す場合、総継続時間は、秒単位でのシンボル時間+サイクリックプレフィックス継続時間を含む総継続時間を表し、分数CPは、いくつかの様々な総継続時間に対してRB当たり整数個のキャリアをもたらすように選択された、自己発見的方法で決定された分数である。
【００７９】
【表３】
2016533139.tif 000005
【００８０】
Table 3(表3)において特定される一群の解決策は、一連の分数、N/75に関する分数CPから得られ、ただし、Nは整数(N=1、2、3、など)である。
【００８１】
より大きい容量を実現することはまた、公称の4.5MHz当たり25リソースブロックのサポートを越えて、スペクトル占有を増大させることを含み得る。キャリア対リソースブロックの整数の関係により、この処理は簡略化される。各RBが5MHzの3.6%であるので、合計27RBを得るためにさらなる2つのリソースブロックを追加することによって、全利用率を7.2%だけ97.2%まで増大させることは妥当であり得る。さらなる新しい固定プロファイルの変調コーディング方式(MCS)が、4bps/Hzよりも多くを実現するために使用され得る。Table 3(表3)は、容量獲得コードを想定してサポートされるbps/Hzおよび最小の付加白色ガウス雑音(AWGN)のC/Nを示す。
【００８２】
2.5ミリ秒に対してRB当たり6個のパイロットを割り振り平均することによって、1.37%の総パイロット電力を得ることが可能である。下のTable 4(表4)は、目標効率を達成するためのリソースの最終的な割振りを示し、他の組合せが可能である。
【００８３】
【表４】
2016533139.tif 000006
【００８４】
Table 4(表4)は、5MHzにおける固定サービスのためのMCSの選択を示す。これらの固定プロファイルのキャリアの特徴は、後続する漸進的な方式としての設計に影響を及ぼす。27RBのベースバンド帯域幅を可能にするように修正されたベースバンドアームフィルタが必要である。各総継続時間について新しいパイロットパターンが存在する。各分数サイクリックプレフィックスに対して、修正された数秘学が存在する。最大限必要とされるFFTは、上述されたモバイルのための拡張に比べてさらに増大されている。
【００８５】
分数CPのための一群の解決策は、75の分母に基づいて、2.5、5、および10ミリ秒の総継続時間に対して、RB当たり整数個のキャリアを実現する。しかしながら、本開示の様々な態様は、1から10ミリ秒までの総継続時間における各整数ミリ秒に対して、RB当たり整数のキャリアを実現し得る。継続時間のこの範囲にわたる整数キャリアは、0.5555%のステップで変化する。したがって、75の分母を使用して生み出される一群よりも大きい柔軟性をもたらす。様々な態様は、任意の整数Nについて、分母が180の分数(N/180)に基づいて分数CPを修正することによってこの目的を達成する。N=36を選択することは、たとえば、Table 1(表1)の16.66μ秒および33.33μ秒の総継続時間において規定されるように、Table 1(表1)に関して示すような公称の20%分数CPを実現するはずであることに留意されたい。
【００８６】
図12は、本開示の一態様を実施するように実行される例示的なブロックを示す機能ブロック図である。ブロック1200において、ブロードキャストで送信されるべきOFDMAシンボルのためのサイクリックプレフィックスオーバーヘッドが選択され、サイクリックプレフィックスオーバーヘッドは、分母が180の分数サイクリックプレフィックスに基づいて決定される。分数CPのサイクリックプレフィックスオーバーヘッドを決定するために特有の分数は、適切な整数N、すなわち複数の単位分数1/180(0.5555%)を選択することによって選択され得る。
【００８７】
ブロック1201において、OFDMAシンボルのための総継続時間が選択され、総継続時間は、RB当たり整数個のキャリアをもたらすように決定される。総継続時間は、シンボルの継続時間または時間と、サイクリックプレフィックス継続時間との合計を表す。1ミリ秒のサブフレームに基づくLTE送信構造を用いて、1ミリ秒〜10ミリ秒の任意の整数の総継続時間が選択され得、依然としてRB当たり所望の整数個のキャリアを実現し得る。
【００８８】
ブロック1202において、OFDMAシンボルは、総継続時間およびサイクリックプレフィックスオーバーヘッドを使用して送信される。
【００８９】
ブロードキャストが標準的なシステムブロードキャストであってよく、またはマルチメディアブロードキャストであってもよいことに留意されたい。本開示は、サイクリックプレフィックスオーバーヘッドの送信にとって、特定のタイプのブロードキャストに限定されない。
【００９０】
Table 5(表5)は、式(1)に従って1/180の分数の整数倍によって推進される、一群の解決策を利用する本開示の様々な態様から得られるRB当たりのキャリアの数を示す。
【００９１】
【表５】
2016533139.tif 000007
【００９２】
選択された態様では、256直交振幅変調(QAM)の使用が、LTEにおけるユニキャスト送信のために採用され得る。このことは、LTEブロードキャスト用途のために256QAMを利用するための機会を開くことになる。しかしながら、15dBは効率よく利用されるには低すぎることがあるので、256QAMの利用可能性は、15dBのC/Nにおける大きいbps/Hzの要件を満たすことに関して、いかなる本質的な利点ももたらし得ない。しかしながら、デバイスの中で利用されるADCによって課せられる信号対ノイズの制限が著しく改善されなければならないことがあるという観点から、LTEデバイスのインフラストラクチャにおいて256QAMを導入することは有益であり得る。LTEブロードキャストは、256QAMモードがLTEブロードキャストのために採用されるかどうかとは無関係に、256QAMユニキャストが存在することから恩恵を受ける。256QAMのLTEブロードキャストモードのサポートは、64QAMについて上述された数秘学に基づいて可能であり得る。
【００９３】
既存のプライマリ同期信号(PSS)/セカンダリ同期信号(SSS)/物理ブロードキャストチャネル(PBCH)/システム情報ブロック(SIB)の送信フォーマットは、追加された物理レイヤの特徴を記述するために十分であり得る。すべてのそのような情報を搬送するために、1つのSIBのみが必要とされ得る。送信帯域にリンクされた半静的なSIBスケジューリングが適用され得る。そうはいっても、ここで5MHzまたは6MHzのいずれかが説明されたユースケースでは、各周波数セグメントは、多重化のすべての周波数セグメントにおけるトラフィックを記述するべきである。異なるMBSFNエリアは、異なるサイクリックプレフィックスの長さをサポートし得、そのような情報は、SIBの中で示される。異なるサブフレーム構造は、異なる各サイクリックプレフィックスの長さについて導入される。
【００９４】
情報および信号は、様々な異なる技術および技法のいずれかを使用して表され得ることを、当業者は理解されよう。たとえば上記説明全体を通して参照されてよいデータ、命令、指令、情報、信号、ビット、記号およびチップは、電圧、電流、電磁波、磁界または粒子、光学場または粒子、あるいはそれらの任意の組合せによって表されてもよい。
【００９５】
本明細書の開示に関して説明された様々な例示的論理ブロック、モジュール、回路、および処理ステップは、電子ハードウェア、コンピュータソフトウェア、またはその両方の組合せとして実装されてもよいことが、当業者にはさらに諒解されよう。ハードウェアおよびソフトウェアのこの互換性を明確に説明するために、様々な例示的な構成要素、ブロック、モジュール、回路、およびステップが、それらの機能の観点から一般的に上記で説明されている。そのような機能がハードウェアまたはソフトウェアのどちらとして実施されるのかは、システム全体に課される特定の用途および設計制約に依存する。当業者は、説明した機能を特定の適用例ごとに様々な方法で実装し得るが、そのような実装の決定は、本開示の範囲からの逸脱をもたらすものと解釈されるべきではない。
【００９６】
本明細書において開示に関連して説明された様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)またはその他のプログラマブル論理デバイス、ディスクリートゲートまたはトランジスタ論理、ディスクリートハードウェアコンポーネント、または本明細書において説明される機能を実行するように設計されたこれらの任意の組合せにより実装または実行されてもよい。汎用プロセッサはマイクロプロセッサであってもよいが、代替ではプロセッサは、任意の従来のプロセッサ、コントローラ、マイクロコントローラまたはステートマシンであってもよい。プロセッサは、たとえばDSPとマイクロプロセッサの組合せ、複数のマイクロプロセッサ、DSPコアと連結した1つまたは複数のマイクロプロセッサ、または任意の他のそのような構成など、コンピューティングデバイスの組合せとしても実装され得る。
【００９７】
本明細書において開示に関連して説明された方法またはプロセスのステップは、ハードウェアにおいて、プロセッサによって実行されるソフトウェアモジュールにおいて、またはこの2つの組合せにおいて直接具現されてもよい。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られているその他の形態の記憶媒体に、常駐することができる。例示的記憶媒体がプロセッサに結合され、プロセッサが記憶媒体から情報を読み取ること、および記憶媒体に情報を書き込むことができるようにする。代替として、記憶媒体はプロセッサと一体化され得る。プロセッサおよび記憶媒体は、ASIC内に存在し得る。ASICは、ユーザ端末内に存在してもよい。代替で、プロセッサおよび記憶媒体は、ユーザ端末内の個別の構成要素として存在してもよい。
【００９８】
1つまたは複数の例示的設計では、記載された機能は、ハードウェア、ソフトウェア、ファームウェア、またはその任意の組合せにおいて実装されてもよい。ソフトウェアで実装される場合、機能は、1つまたは複数の命令またはコードとして、コンピュータ可読媒体上に記憶され得るか、またはコンピュータ可読媒体を介して送信され得る。コンピュータ可読記憶媒体は、汎用または特殊用途コンピュータによってアクセスできる任意の利用可能な媒体とすることができる。限定的ではなく、一例として、そのようなコンピュータ可読記憶媒体は、RAM、ROM、EEPROM、CD-ROMもしくはその他の光ディスク記憶装置、磁気ディスク記憶装置もしくはその他の磁気記憶装置、または望ましいプログラムコード手段を命令またはデータ構造の形態で搬送または記憶するために使用され得る、汎用もしくは特殊用途コンピュータ、または汎用もしくは特殊用途プロセッサによってアクセスされ得る任意の他の媒体を備えることができる。また、非一時的接続は、コンピュータ可読媒体の定義内に適切に含まれ得る。たとえば、命令が、同軸ケーブル、光ファイバケーブル、ツイストペア、またはデジタル加入者回線(DSL)を使用して、ウェブサイト、サーバ、または他のリモートソースから送信される場合、同軸ケーブル、光ファイバケーブル、ツイストペア、またはDSLは、媒体の定義に含まれる。ディスク(disk)およびディスク(disc)は、本明細書において使用されるときに、コンパクトディスク(disc)(CD)、レーザーディスク（登録商標）(disc)、光ディスク(disc)、デジタル多用途ディスク(disc)(DVD)、フロッピー（登録商標）ディスク(disk)およびブルーレイディスク(disc)を含み、ディスク(disk)は通常、データを磁気的に再生し、一方、ディスク(disc)は、レーザーを用いてデータを光学的に再生する。上記のものの組合せもまた、コンピュータ可読媒体の範囲内に含まれるべきである。
【００９９】
本開示の先の説明は、いかなる当業者も本開示を作製または使用できるようにするために提供される。本開示への様々な修正が当業者には容易に明らかになり、本明細書で定義される一般原理は、本開示の趣旨または範囲から逸脱することなく、他の変形形態に適用され得る。したがって、本開示は、本明細書で説明される例および設計に限定されるものではなく、本明細書で開示される原理および新規の特徴に一致する最大の範囲を与えられるものである。
【符号の説明】
【０１００】
100  発展型パケットシステム
102  UE
104  発展型UMTS地上波無線アクセスネットワーク
106  eNB
108  他のeNB
110  発展型パケットコア
112  モビリティ管理エンティティ
114  他のMME
116  サービングゲートウェイ
118  パケットデータネットワークゲートウェイ
120  ホーム加入者サーバ
122  事業者のインターネットプロトコルサービス
124  ワイヤレス通信システム
126  ユーザ機器
128  eノードB
130  マルチキャスト協調エンティティ
132  モビリティ管理エンティティ
134  パケットデータネットワークゲートウェイ
136  ブロードキャストマルチキャストサービスセンタ
138  コンテンツプロバイダサーバ
140  MBMSゲートウェイ
142  サービング汎用パケット無線サービスサポートノード
144  UTRAN無線ネットワークコントローラ
146  UEモバイルエンティティ
200  アクセスネットワーク
202  セル
204  マクロeNB
206  UE
208  低電力クラスeNB
210  セルラー領域
302  セル固有RS
304  UE固有RS
430  物理ランダムアクセスチャネル
506  物理レイヤ
508  L2レイヤ
510  媒体アクセス制御サブレイヤ
512  無線リンク制御サブレイヤ
514  パケットデータコンバージェンスプロトコルサブレイヤ
516  無線リソース制御サブレイヤ
610  eNB
616  送信プロセッサ
618  送信機
620  アンテナ
650  UE
652  アンテナ
654  受信機
656  受信プロセッサ
658  チャネル推定器
659  コントローラ/プロセッサ
660  メモリ
662  データシンク
667  データソース
668  TXプロセッサ
670  RXプロセッサ
674  チャネル推定器
675  コントローラ/プロセッサ
676  メモリ
802  eNB
804  UE
806  物体
808  直接伝搬経路
810  間接伝搬経路
【図１Ａ】
2016533139.tif 000008
【図１Ｂ】
2016533139.tif 000009
【図２】
2016533139.tif 000010
【図３】
2016533139.tif 000011
【図４】
2016533139.tif 000012
【図５】
2016533139.tif 000013
【図６】
2016533139.tif 000014
【図７】
2016533139.tif 000015
【図８】
2016533139.tif 000016
【図９Ａ】
2016533139.tif 000017
【図９Ｂ】
2016533139.tif 000018
【図１０】
2016533139.tif 000019
【図１１】
2016533139.tif 000020
【図１２】
2016533139.tif 000021
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
ブロードキャストで送信されるべき直交分割多元接続(OFDMA)シンボルのためのサイクリックプレフィックスオーバーヘッドを選択するステップであって、前記サイクリックプレフィックスオーバーヘッドは、標準的なキャリア対リソースブロック(RB)の規定の整数倍に基づいて決定されるステップと、
前記OFDMAシンボルのためのサイクリックプレフィックス継続時間を選択するステップであって、前記サイクリックプレフィックス継続時間は、前記標準的なキャリア対RBの規定の前記整数倍に基づいて、RB当たり整数個のキャリアをもたらすように決定され、前記サイクリックプレフィックス継続時間を選択する前記ステップは、
シンボル継続時間と、複数のサイクリックプレフィックス継続時間のうちの1つとを含む所望の継続時間を選択するステップを備え、前記選択された所望の継続時間は、RB当たり前記整数個のキャリアをもたらすステップと、
前記サイクリックプレフィックス継続時間およびサイクリックプレフィックスオーバーヘッドを使用して前記OFDMAシンボルを送信するステップと
を備えるワイヤレス通信の方法。
【請求項２】
前記標準的なキャリア対RBの規定の前記整数倍は、分母が180の分数サイクリックプレフィックスに基づいて決定される、請求項1に記載の方法。
【請求項３】
RB当たりのキャリアの前記整数は、式:
RB当たりのキャリアの数=180,000(Hz)×総継続時間(秒)(1-分数サイクリックプレフィックス)に従って決定され、180,000(Hz)はRBの帯域幅を表し、前記総継続時間(秒単位)はOFDMAシンボル時間と前記サイクリックプレフィックス継続時間との合計を表す、
請求項2に記載の方法。
【請求項４】
前記分数サイクリックプレフィックスは、式:
分数サイクリックプレフィックス=N/180に従って決定され、Nは整数値を表す、
請求項2に記載の方法。
【請求項５】
前記総継続時間を選択する前記ステップは、
シンボル継続時間と、複数のサイクリックプレフィックス継続時間のうちの1つとを含む所望の継続時間を選択するステップを備え、前記選択された所望の継続時間は、RB当たり前記整数個のキャリアをもたらす、
請求項2に記載の方法。
【請求項６】
前記総継続時間は1、2、3、4、5、6、7、8、9、および10ミリ秒を含む、請求項2に記載の方法。
【請求項７】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項1に記載の方法。
【請求項８】
前記サイクリックプレフィックス継続時間を選択する前記ステップは、
シンボル継続時間と、複数のサイクリックプレフィックス継続時間のうちの1つとを含む所望の継続時間を選択するステップを備え、前記選択された所望の継続時間は、RB当たり前記整数個のキャリアをもたらす、
請求項1に記載の方法。
【請求項９】
前記複数のサイクリックプレフィックス継続時間の各々は、前記選択されたサイクリックプレフィックスオーバーヘッドを維持する、請求項8に記載の方法。
【請求項１０】
前記複数のサイクリックプレフィックス継続時間は、RB当たり前記整数個のキャリアをもたらす2.5、5、および10ミリ秒の継続時間を含む、請求項9に記載の方法。
【請求項１１】
より大きい数のキャリア対RBのための前記標準的なキャリア対RBの定義の前記整数倍は、より小さいサイクリックプレフィックスオーバーヘッドをもたらす、請求項1に記載の方法。
【請求項１２】
前記整数倍は、370キャリアから300キャリアまでの間のキャリアのシーケンスを備え、前記シーケンスは、各組合せを用いて5キャリアごとに変化し、前記キャリアのシーケンスは、一群の利用可能なサイクリックプレフィックスオーバーヘッドをN×1.33%ステップで生成する、請求項1に記載の方法。
【請求項１３】
ブロードキャストで送信されるべき直交分割多元接続(OFDMA)シンボルのためのサイクリックプレフィックスオーバーヘッドを選択するための手段であって、前記サイクリックプレフィックスオーバーヘッドは、標準的なキャリア対リソースブロック(RB)の規定の整数倍に基づいて決定される手段と、
前記OFDMAシンボルのためのサイクリックプレフィックス継続時間を選択するための手段であって、前記サイクリックプレフィックス継続時間は、前記標準的なキャリア対RBの規定の前記整数倍に基づいて、RB当たり整数個のキャリアをもたらすように決定され、前記サイクリックプレフィックス継続時間を選択するための前記手段は、
シンボル継続時間と、複数のサイクリックプレフィックス継続時間のうちの1つとを含む所望の継続時間を選択する手段を備え、前記選択された所望の継続時間は、RB当たり前記整数個のキャリアをもたらす手段と、
前記サイクリックプレフィックス継続時間およびサイクリックプレフィックスオーバーヘッドを使用して前記OFDMAシンボルを送信するための手段と
を備えるワイヤレス通信のために構成された装置。
【請求項１４】
前記標準的なキャリア対RBの規定の前記整数倍は、分母が180の分数サイクリックプレフィックスに基づいて決定される、請求項13に記載の装置。
【請求項１５】
総継続時間を選択するための前記手段は、
シンボル継続時間と、複数のサイクリックプレフィックス継続時間のうちの1つとを含む所望の継続時間を選択するための手段を備え、前記選択された所望の継続時間は、RB当たり前記整数個のキャリアをもたらす、
請求項14に記載の装置。
【請求項１６】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項13に記載の装置。
【請求項１７】
前記サイクリックプレフィックス継続時間を選択するための前記手段は、
シンボル継続時間と、複数のサイクリックプレフィックス継続時間のうちの1つとを含む所望の継続時間を選択するための手段を備え、前記選択された所望の継続時間は、RB当たり前記整数個のキャリアをもたらす、
請求項13に記載の装置。
【請求項１８】
そこに記録されたプログラムコードを有する非一時的コンピュータ可読記憶媒体であって、前記プログラムコードが、
コンピュータに、ブロードキャストで送信されるべき直交分割多元接続(OFDMA)シンボルのためのサイクリックプレフィックスオーバーヘッドを選択させるためのプログラムコードであって、前記サイクリックプレフィックスオーバーヘッドは、標準的なキャリア対リソースブロック(RB)の規定の整数倍に基づいて決定されるプログラムコードと、
前記コンピュータに、前記OFDMAシンボルのためのサイクリックプレフィックス継続時間を選択させるためのプログラムコードであって、前記サイクリックプレフィックス継続時間は、前記標準的なキャリア対RBの規定の前記整数倍に基づいて、RB当たり整数個のキャリアをもたらすように決定され、前記コンピュータに前記サイクリックプレフィックス継続時間を選択させるための前記プログラムコードは、
前記コンピュータに、シンボル継続時間と、複数のサイクリックプレフィックス継続時間のうちの1つとを含む所望の継続時間を選択させるためのプログラムコードを備え、前記選択された所望の継続時間は、RB当たり前記整数個のキャリアをもたらすプログラムコードと、
前記コンピュータに、前記サイクリックプレフィックス継続時間およびサイクリックプレフィックスオーバーヘッドを使用して前記OFDMAシンボルを送信させるためのプログラムコードと
を備える、非一時的コンピュータ可読記憶媒体。
【請求項１９】
前記標準的なキャリア対RBの規定の前記整数倍は、分母が180の分数サイクリックプレフィックスに基づいて決定される、請求項18に記載の非一時的コンピュータ可読記憶媒体。
【請求項２０】
前記コンピュータに総継続時間を選択させるための前記プログラムコードは、
前記コンピュータに、シンボル継続時間と、複数のサイクリックプレフィックス継続時間のうちの1つとを含む所望の継続時間を選択させるためのプログラムコードを備え、前記選択された所望の継続時間は、RB当たり前記整数個のキャリアをもたらす、
請求項19に記載の非一時的コンピュータ可読記憶媒体。
【請求項２１】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項18に記載の非一時的コンピュータ可読記憶媒体。
【請求項２２】
前記コンピュータに前記サイクリックプレフィックス継続時間を選択させるための前記プログラムコードは、
前記コンピュータに、シンボル継続時間と、複数のサイクリックプレフィックス継続時間のうちの1つとを含む所望の継続時間を選択させるためのプログラムコードを備え、前記選択された所望の継続時間は、RB当たり前記整数個のキャリアをもたらす、
請求項18に記載の非一時的コンピュータ可読記憶媒体。
【請求項２３】
ワイヤレス通信のために構成された装置であって、
少なくとも1つのプロセッサと、
前記少なくとも1つのプロセッサに結合されたメモリとを含み、
前記少なくとも1つのプロセッサは、
ブロードキャストで送信されるべき直交分割多元接続(OFDMA)シンボルのためのサイクリックプレフィックスオーバーヘッドを選択することであって、前記サイクリックプレフィックスオーバーヘッドは、標準的なキャリア対リソースブロック(RB)の規定の整数倍に基づいて決定されることと、
前記OFDMAシンボルのためのサイクリックプレフィックス継続時間を選択することであって、前記サイクリックプレフィックス継続時間は、前記標準的なキャリア対RBの規定の前記整数倍に基づいて、RB当たり整数個のキャリアをもたらすように決定され、前記サイクリックプレフィックス継続時間を選択するための前記少なくとも1つのプロセッサの構成は、シンボル継続時間と、複数のサイクリックプレフィックス継続時間のうちの1つとを含む所望の継続時間を選択するための構成を備え、前記選択された所望の継続時間は、RB当たり前記整数個のキャリアをもたらすことと、
前記サイクリックプレフィックス継続時間およびサイクリックプレフィックスオーバーヘッドを使用して前記OFDMAシンボルを送信することと
を行うように構成された装置。
【請求項２４】
前記標準的なキャリア対RBの規定の前記整数倍は、分母が180の分数サイクリックプレフィックスに基づいて決定される、請求項23に記載の装置。
【請求項２５】
RB当たりのキャリアの前記整数は、式:
RB当たりのキャリアの数=180,000(Hz)×総継続時間(秒)(1-分数サイクリックプレフィックス)に従って決定され、180,000(Hz)はRBの帯域幅を表し、前記総継続時間(秒単位)はOFDMAシンボル時間と前記サイクリックプレフィックス継続時間との合計を表す、
請求項24に記載の装置。
【請求項２６】
前記分数サイクリックプレフィックスは、式:
分数サイクリックプレフィックス=N/180に従って決定され、Nは整数値を表す、
請求項24に記載の装置。
【請求項２７】
前記総継続時間を選択するための前記少なくとも1つのプロセッサの構成は、シンボル継続時間と、複数のサイクリックプレフィックス継続時間のうちの1つとを含む所望の継続時間を選択するための構成を備え、前記選択された所望の継続時間は、RB当たり前記整数個のキャリアをもたらす、請求項24に記載の装置。
【請求項２８】
前記整数倍は、
公称の25RB当たり300キャリアに対して整数個のキャリアをもたらすように選択されるキャリア数を備え、前記選択されたキャリア数は、前記選択されたキャリア数に従って前記サイクリックプレフィックス継続時間が変化することを可能にする、
請求項23に記載の装置。
【請求項２９】
前記サイクリックプレフィックス継続時間を選択するための前記少なくとも1つのプロセッサの構成は、シンボル継続時間と、複数のサイクリックプレフィックス継続時間のうちの1つとを含む所望の継続時間を選択するための構成を備え、前記選択された所望の継続時間は、RB当たり前記整数個のキャリアをもたらす、請求項23に記載の装置。
【請求項３０】
前記整数倍は、370キャリアから300キャリアまでの間のキャリアのシーケンスを備え、前記シーケンスは、各組合せを用いて5キャリアごとに変化し、前記キャリアのシーケンスは、一群の利用可能なサイクリックプレフィックスオーバーヘッドをN×1.33%ステップで生成する、請求項23に記載の装置。
【国際調査報告】
2016533139.tif 000022
2016533139.tif 000023